(57)【要約】【課題】タブ紙のような用紙を給紙カセットに収納した場合であっても、用紙の後端が不揃いとならないようにする。【解決手段】カセット本体１の内底面に、用紙Ｐの幅方向を規制する一対のサイドガイド２，３を、用紙の幅方向に摺動可能に設ける。サイドガイド２の空洞２１の底面に複数の突起２２を所定間隔で形成し、この突起２２に収納ケース４１を取り付ける。収納ケース４１からベルト４３を引き出し、サイドガイド３の側面に形成されたフック３２にベルト４３の留め具４４を引っ掛ける。ベルト４３は板バネ４５によって収納ケース４１の方向に常に引っ張られているので、ベルト４３は緊張した状態となり、用紙Ｐの後端の全域がベルト４３によって規制される。【選択図】図１
2008110856.tif 000002
【特許請求の範囲】
【請求項１】
用紙を収納するカセット本体と、用紙サイズに合わせて用紙の幅方向に摺動可能で、幅方向の用紙位置を規制する左右一対の幅規制部材と、前記一対の幅規制部材の一方の内部に給紙方向と平行に移動可能に取り付けられた、用紙の後端位置を規制する後端規制手段とを備え、
前記後端規制手段は、筒状の収納ケースと、収納ケースの中心に回動可能に取り付けられた回動軸と、前記収納ケースから出入自在に回動軸に巻着されたベルトとを有し、
前記ベルトを前記収納ケースから引き出し、その端部をもう一方の幅規制部材に係止させることにより、用紙の後端を規制することを特徴とする給紙カセット。
【請求項２】
前記幅規制部材の内部に、収納する用紙サイズに合わせて突起又は穴を設ける共に、前記収納ケースに穴又は突起を設け、突起と穴を係合させることによって前記収納ケースを前記幅規制部材に取り付ける請求項１記載の給紙カセット。
【請求項３】
前記幅規制部材の内部に、給紙方向と平行に線状溝を設けると共に、この線状溝に係合して移動する第１台部を前記後端規制手段にさらに設けた請求項１記載の給紙カセット。
【請求項４】
前記幅規制部材の内部に、給紙方向と平行に突条を設けると共に、この突条に係合して移動する第２台部を前記後端規制手段にさらに設けた請求項１記載の給紙カセット。
【発明の詳細な説明】
【技術分野】
【０００１】
本発明は給紙カセットに関し、より詳細には用紙の後端を規制する部材を備えた給紙カセットに関するものである。
【背景技術】
【０００２】
従来の給紙カセットを図９に示す。従来の給紙カセットＣ’は、カセット本体１と、カセット本体１の内底面に取り付けられた、用紙Ｐの幅方向を規制する一対のサイドガイド（幅規制部材）２’，３’と、用紙Ｐの後端を規制するバックガイド（後端規制部材）４’とを備える。サイドガイド２’，３’は、用紙サイズに合わせて用紙の幅方向に摺動可能となっている。またバックガイド４’についても用紙サイズに合わせて摺動可能となっている。これらのサイドガイド２’，３’とバックガイド４’で囲まれた領域が用紙載置領域となる。そしてこの用紙載置領域には、ピン５１ａ，５１ｂを中心として揺動可能に昇降板５が取り付けられている。
【０００３】
給紙カセットＣ’の用紙載置領域に用紙Ｐを載置し、給紙カセットＣ’を画像形成装置本体に装着すると昇降板５が上昇して、載置された用紙Ｐの給紙方向先端側が上方に持ち上げられ、画像形成装置本体に設けられた給紙ローラ等によって最上用紙から順に搬送路へ送り出される。
【０００４】
給紙カセットＣ’に収納される用紙は通常は四角形であるが、四角形の用紙の１辺からつまみ部Ｔが突出した、いわゆるタブ紙のような用紙が収納されることもある。図１０に示すように、このような用紙Ｐを給紙カセットＣ’に収納した場合、従来のような用紙幅方向中央部に１つのバックガイド４’が設けられた給紙カセットＣ’では、用紙Ｐを搬送路へ送り出すために昇降板５が上昇すると、つまみ部Ｔがバックガイド４’に当接しない用紙Ｐが後方にずれ、用紙Ｐの後端がばらついて用紙Ｐが斜め給紙されることがあった。用紙Ｐが斜め搬送されると、用紙搬送不良や画像不良の原因となる。
【０００５】
そこで例えば特許文献１では、給紙カセットにタブ紙を収納する場合には、バックガイドに対して端縁ガイド部材を着設して、タブ紙のつまみ部の後端を端縁ガイド部材で一様に規制し、タブ紙の後端バラツキを抑える技術が提案されている。
【特許文献１】特開２０００−２２９７３２号公報
【発明の開示】
【発明が解決しようとする課題】
【０００６】
前記提案技術によれば、給紙カセットにタブ紙を収納した場合のタブ紙の後端バラツキは抑えられるものの、バックガイドとは別に端縁ガイド部材を設ける必要があるので、端縁ガイド部材の収納や着脱が必要となり作業が煩雑となる。
【０００７】
本発明はこのような従来の問題に鑑みてなされたものであり、その目的とするところは、タブ紙のような用紙を給紙カセットに収納する場合であっても、簡単な構成及び簡単な作業で用紙の後端が揃えられるようにすることにある。
【課題を解決するための手段】
【０００８】
本発明によれば用紙を収納するカセット本体と、用紙サイズに合わせて用紙の幅方向に摺動可能で、幅方向の用紙位置を規制する左右一対の幅規制部材と、前記一対の幅規制部材の一方の内部に給紙方向と平行に移動可能に取り付けられた、用紙の後端位置を規制する後端規制手段とを備え、前記後端規制手段は、筒状の収納ケースと、収納ケースの中心に回動可能に取り付けられた回動軸と、前記収納ケースから出入自在に回動軸に巻着されたベルトとを有し、前記ベルトを前記収納ケースから引き出し、その端部をもう一方の幅規制部材に係止させることにより、用紙の後端を規制することを特徴とする給紙カセットが提供される。
【０００９】
後端規制手段を幅規制部材に取り付ける方法としては、幅規制部材の内部に、収納する用紙サイズに合わせて突起又は穴を設ける共に、収納ケースに穴又は突起を設け、突起と穴を係合させることによって収納ケースを幅規制部材に給紙方向と平行に移動可能に取り付ける方法であってもよい。
【００１０】
あるいは幅規制部材の内部に、給紙方向と平行に線状溝又は突条を設けると共に、この線状溝又は突条に係合して移動する第１台部又は第２台部を後端規制手段にさらに設け、収納ケースを幅規制部材に給紙方向と平行に移動可能に取り付ける方法でもよい。
【発明の効果】
【００１１】
本発明の給紙カセットでは、筒状の収納ケースと、収納ケースの中心に回動可能に取り付けられた回動軸と、前記収納ケースから出入自在に回動軸に巻着されたベルトとを有する後端規制手段を、一対の幅規制部材の一方の内部に給紙方向と平行に移動可能に設けたので、タブ紙ような用紙であっても、前記ベルトを前記収納ケースから引き出し、その端部をもう一方の幅規制部材に係止するという簡単な操作で用紙後端を規制することができる。
【００１２】
前記幅規制部材の内部に、収納する用紙サイズに合わせて突起又は穴を設ける共に、前記収納ケースに穴又は突起を設け、突起と穴を係合させることによって前記収納ケースを前記幅規制部材に給紙方向と平行に移動可能に取り付けるようにすると、用紙サイズに対応して、後端規制手段を給紙方向と平行に簡単に移動できるようになる。
【００１３】
また前記幅規制部材の内部に、給紙方向と平行に線状溝又は突条を設けると共に、この線状溝又は突条に係合して移動する第１台部又は第２台部を前記後端規制手段にさらに設けることによって、収納ケースを幅規制部材に給紙方向と平行に移動可能に取り付けるようにすると、前記と同様に、用紙サイズに対応して後端規制手段を給紙方向と平行に簡単に移動できるようになる。
【発明を実施するための最良の形態】
【００１４】
図１に、本発明に係る給紙カセットＣの一実施形態を示す斜視図を示す。給紙カセットＣは、カセット本体１と、カセット本体１の内底面に取り付けられた、用紙Ｐの幅方向を規制する一対のサイドガイド（幅規制部材）２，３とを備える。サイドガイド２，３は、用紙サイズに合わせて用紙Ｐの幅方向に摺動可能となっている。またカセット本体１の内底面には、ピン５１ａ，５１ｂを中心として揺動可能に昇降板５が取り付けられている。
【００１５】
図２に示すように、サイドガイド２の側面には空洞２１が形成されており、この空洞２１の底面には所定間隔で複数の突起２２が形成されている。この突起２２に後端規制手段４が着脱可能に取り付けられる。図３に示すように、後端規制手段４は、筒状の収納ケース４１と、収納ケース４１の中心に回動自在に取り付けられた回動軸４２と、この回転軸４２に巻着されたベルト４３とを有し、ベルト４３の一方端は板バネ４５を介して回動軸４２に取り付けられ、他方端は収納ケース４１から突出し、その側辺にはＵ字状の留め具４４が取り付けられている。収納ケース４１の裏面には不図示の係合穴が形成されており、この係合穴をサイドガイド２の突起２２に嵌合させることによって収納ケース４１はサイドガイド２に取り付けられている。
【００１６】
一方、サイドガイド３の側面には、図４に示すように、給紙方向と平行に細長い溝３１が形成されており、この溝３１の垂直面には、サイドガイド２に形成された突起２２と同じ間隔でＬ字状のフック３２が複数個形成されている。
【００１７】
図１〜図４を参照して、給紙カセットＣに用紙Ｐを収納する場合は、まず収納する用紙Ｐの幅に合わせてサイドガイド２，３を摺動させる。そして、サイドガイド２の、用紙サイズに対応した位置の突起２２に収納ケース４１を取り付け、ベルト４３の側辺に取り付けられた留め具４４を持って収納ケース４１からベルト４３を引き出す。そして、サイドガイド３の側面に形成されたフック３２にベルト４３の留め具４４を引っ掛ける。ベルト４３は板バネ４５によって収納ケース４１の方向に常に引っ張られているので（図３（ｂ）参照）、ベルト４３は緊張した状態となる。これによって用紙Ｐの後端の全域がベルト４３によって規制されるので、タブ紙のような用紙であっても、用紙後端が不揃いとなることが確実に防止される。なお、ベルト４３の留め具４５をフック３２から外すと、収納ケース４１内の板バネ４５によって、ベルト４３は収納ケース４１内に巻き入れられる。
【００１８】
給紙カセットＣに収納する用紙Ｐのサイズが換わる場合は、図４に示すように、ベルト４３の留め具４４をフック３２から外し、新しい用紙サイズに対応した位置の突起２２に収納ケース４１を取り付け、前記と同様にベルト４３の留め具４４をフック３２に引っ掛ければよい。
【００１９】
なお、前記実施形態では収納ケース４１に係合穴（不図示）を形成し、サイドガイド２に突部２２を形成してサイドガイド２に収納ケース４１を着脱していたが、反対に収納ケース４１に突部を形成し、サイドガイド２に係合穴を形成してももちろん構わない。また、ベルト４３の端部のサイドガイド３への係止構造は前記構造のほか、磁石や面ファスナなど従来公知の係止構造を用いても構わない。
【００２０】
次に、本発明に係る給紙カセットの他の実施形態について説明する。この実施形態の給紙カセットが前記実施形態の給紙カセットと異なる点はサイドガイド２への後端規制手段４の取り付け構造である。図５に、後端規制手段４を取り付けたサイドガイド２の斜視図を示す。サイドガイド２の側面には、前記実施形態と同様に空洞２１が形成されている。空洞２１の底面には、給紙方向と平行に線状溝２３が形成されている。
【００２１】
図６（ａ）に示すように、この線状溝２３の内部には、開口部２３１よりも幅の広い拡大部２３２が形成されている。一方、同図（ｂ）に示すように、後端規制手段４は、円筒状の収納ケース４２と、板バネ４５（図３に図示）を介して回動軸４２に巻着され、収納ケース４１内に収納されたベルト４３と、収納ケース４１の下面に取り付けられた第１台部４６とを備える。第１台部４６は、上拡径部４６１と縮径部４６２、下拡径部４６３とを備え、縮径部４６２は線状溝２３の開口部２３１の幅よりもやや小さく、下拡径部４６３は線状溝２３の開口部２３１の幅よりも大きく且つ線状溝２３の拡大部２３２よりもやや小さく設定されている。これにより、同図（ｃ）に示すように、第１台部４６の下拡径部４６３を線状溝２３の拡大部２３２に側方から挿入すると、第１台部４６は線状溝２３の開口部２３１に沿って移動自在で、しかも線状溝２３から外れることがない。このような構成によれば、前記実施形態と異なって、後端規制部材４をサイドガイド２から着脱する必要がなく、しかも任意の位置に移動させることができるようになる。なお、第１台部４６は収納ケース４１と別体であってもよいし、収納ケース４１と一体に成形されていてもよい。
【００２２】
図７に、本発明に係る給紙カセットのさらに他の実施形態を示す。図７は、後端規制手段４を取り付けたサイドガイド２の斜視図である。サイドガイド２の側面には、前記実施形態と同様に空洞２１が形成されており、空洞２１の底面には垂直部２４１の上端に水平部２４２の中央部が接続した断面Ｔ字状の突条２４が形成されている（図８（ａ）参照）。そして突条２４に後端規制部材４が移動自在に取り付けられている。
【００２３】
図８（ｂ）に示すように、後端規制手段４は、円筒状の収納ケース４１と、板バネ４５（図３に図示）を介して回動軸４２に巻着され、収納ケース４１内に収納されたベルト４３と、収納ケース４１の下面に取り付けられた第２台部４７とを備える。第２台部４７は開口部４７１を下方とした断面Ｃ字状の形状を有し、第２台部４７の開口部４７１は突条２４の垂直部２４１の幅よりもやや広く且つ突条２４の水平部２４２の幅よりも狭く、第２台部４７の中空部４７２は突条２４の水平部２４２の幅よりも広く設定されている。これにより、同図（ｃ）に示すように、第２台部４７の中空部４７２に突条２４の水平部２４２を挿入することによって、第２台部４７は突条２４上を移動し、しかも突条２４から外れることがない。このような構成によれば、図５に示した実施形態と同様に、後端規制部材４をサイドガイド２から着脱する必要がなく、しかも任意の位置に移動させることができるようになる。
【００２４】
後端規制部材４をサイドガイド２に移動可能に取り付ける構成としては、以上説明した構成に限定されるものではなく、従来公知の構成を用いても構わない。
【図面の簡単な説明】
【００２５】
【図１】本発明に係る給紙カセットの一実施形態を示す斜視図である。
【図２】図１の給紙カセットに使用されている一方のサイドガイドの斜視図である。
【図３】図１の給紙カセットに使用されている後端規制手段に一例を示す水平断面図である。
【図４】図１の給紙カセットに使用されている他方のサイドガイドの斜視図である。
【図５】サイドガイドの他の実施形態を示す斜視図である。
【図６】図５におけるサイドガイドと後端規制手段との係合状態を説明するための図である。
【図７】サイドガイドのさらに他の実施形態を示す斜視図である。
【図８】図７におけるサイドガイドと後端規制手段との係合状態を説明するための図である。
【図９】従来の給紙カセットを示す斜視図である。
【図１０】従来の給紙カセットの不具合を示す平面図である。
【符号の説明】
【００２６】
１    カセット本体
２    サイドガイド（幅規制部材）
３    サイドガイド（幅規制部材）
４    後端規制手段
２２    突起
２３    線状溝
２４    突条
４１    収納ケース
４２    回動軸
４３    ベルト
４４    留め具
４５    板バネ
４６    第１台部
４７    第２台部
【図１】
2008110856.tif 000003
【図２】
2008110856.tif 000004
【図３】
2008110856.tif 000005
【図４】
2008110856.tif 000006
【図５】
2008110856.tif 000007
【図６】
2008110856.tif 000008
【図７】
2008110856.tif 000009
【図８】
2008110856.tif 000010
【図９】
2008110856.tif 000011
【図１０】
2008110856.tif 000012